(57)【要約】【課題】天井部からワイヤで吊下げる複数の栽培ベッドにあって、必要時に隣接の栽培ベッド間に充分な作業通路を容易に確保する。【解決手段】複数の栽培ベッド６を天井部１からワイヤ７を介し吊下げて多列状に配設させた吊下げ式栽培ベッドにおいて、１つの栽培ベッドを固定用と移動用の２種類の吊下げ部材３・４或いは５に支持させて、栽培ベッド６を移動可能とさせる。【選択図】　　　図８
2004000021.tif 000002
【特許請求の範囲】
【請求項１】
複数の栽培ベッドを天井部からワイヤを介し吊下げて多列状に配設させた吊下げ式栽培ベッドにおいて、１つの栽培ベッドを固定用と移動用の２種類の吊下げ部材に支持させて、栽培ベッドを移動可能とさせたことを特徴とする吊下げ式栽培ベッド。
【請求項２】
隣接する栽培ベッドを反対方向に移動させる２つの移動用吊下げ部材にそれぞれ支持させて、栽培ベッド間の通路巾を拡大或いは縮小させたことを特徴とする請求項１記載の吊下げ式栽培ベッド。
【請求項３】
栽培ベッドの長手方向に対し吊下げ部材の長手方向を直交させ、栽培ベッドの長手方向の一側を固定用吊下げ部材に、他側を移動用吊下げ部材に支持させて、隣接の栽培ベッド間に形成する通路巾を拡大或いは縮小させるように設けたことを特徴とする請求項１及び２記載の吊下げ式栽培ベッド。
【発明の詳細な説明】
【０００１】
【発明の属する技術分野】
本発明は温室内などにあって栽培ベッドをワイヤで天井部から吊下げて野菜苗や野菜などの栽培を行う吊下げ式栽培ベッドに関する。
【０００２】
【発明が解決しようとする課題】
従来、天井からワイヤで吊下げた栽培ベッドを多列状に複数配備させた施設にあって、栽培ベッド間に作業通路を確保するためベッドを横移動させる場合などには、手動による１ベッド毎の横移動を必要とするなど時間や工数を要して極めて作業能率の悪いものであった。
【０００３】
【課題を解決するための手段】
したがって本発明は、複数の栽培ベッドを天井部からワイヤを介し吊下げて多列状に配設させた吊下げ式栽培ベッドにおいて、１つの栽培ベッドを固定用と移動用の２種類の吊下げ部材に支持させて、栽培ベッドを移動可能とさせて、固定用及び移動用の吊下げ部材に多数支持させる栽培ベッドを移動用吊下げ部材の移動で固定側に一括に移動させて、作業通路など必要とする空間を容易に確保するものである。
【０００４】
また、隣接する栽培ベッドを反対方向に移動させる２つの移動用吊下げ部材にそれぞれ支持させて、栽培ベッド間の通路巾を拡大或いは縮小させて、隣接する栽培ベッド間の間隔を容易に拡大或いは縮小させて、作業に必要とする作業通路などの空間を簡単な構成手段で容易に確保するものである。
【０００５】
さらに、栽培ベッドの長手方向に対し吊下げ部材の長手方向を直交させ、栽培ベッドの長手方向の一側を固定用吊下げ部材に、他側を移動用吊下げ部材に支持させて、隣接の栽培ベッド間に形成する通路巾を拡大或いは縮小させて、多数列に栽培ベッドを配置させた密植構成においても一括的に栽培ベッドを移動可能とさせて、栽培ベッド間の空間が少ない密植栽培で必要時充分な作業空間を容易に確保して、作業能率を栽培作物の生産性を向上させるものである。
【０００６】
【発明の実施の形態】
以下、本発明の実施例を図面に基づいて詳述する。図１は吊下げ式栽培ベッドの斜視説明図、図２は栽培ベッドの側面説明図、図３は同正面説明図であり、温室などの天井部１にパイプ受け２を介し３本の吊下げパイプ３・４・５を水平且つ平行に架設させ、３本のパイプ３・４・５のうち１本を天井部１に固定させて固定用吊下げパイプ３に設け、残り２本を軸方向に相互逆方向に移動する正逆移動用吊下げパイプ４・５に設けると共に、これらパイプ３・４・５の下方に複数の長方立体形の栽培ベッド６を各ワイヤ７を介し吊下げて配設させるもので、栽培ベッド６はパイプ３・４・５の軸方向に対し長手方向を直交させる状態に多列に配置させている。
【０００７】
そして、図４乃至図８に示す如く、前記パイプ３・４・５の左右軸方向に対し、各栽培ベッド６の上部左右側縁で一方の前後２箇所を固定用パイプ３に、また他方の前後２箇所を移動用パイプ４或いは５にワイヤ７を介しそれぞれ連結させたもので、隣接する一方の栽培ベッド６ａの左側縁のワイヤ７ａを固定用パイプ３に、右側縁のワイヤ７ｂを正移動用パイプ４に略Ｖ字形に連結させるとき、他方の栽培ベッド６ｂの右側縁のワイヤ７ｃを固定用パイプ３に、左側縁のワイヤ７ｄを逆移動用パイプ５に略Ｖ字形に連結させて、これら隣接する栽培ベッド６ａ・６ｂを１組としパイプ３・４・５の軸方向に複数組配設して、移動用パイプ４・５が軸方向に正逆（Ｘ１、Ｘ２方向）に移動するとき、各パイプ４・５に連結する栽培ベッド６ａ・６ｂも同方向に移動させて、栽培ベッド６ａ・６ｂ間の作業通路８の通路巾ａを移動量分拡大ａ１させて広げる。このときこの１組の栽培ベッド６ａ・６ｂに左右隣接する他の各１組の栽培ベッド６ａ・６ｂに対しては栽培ベッド６ａ・６ｂは近接して、各組の栽培ベッド６ａ・６ｂ間の巾は縮小ａ２させる。
【０００８】
図４乃至図６に示す如く、前記移動用パイプ４・５にはラック取付台９・１０を介し正逆ラックギヤ１１・１２を固設させ、該ラックギヤ１１・１２に１８０度位置で結合させるピニオンギヤ１３を回転軸１４を介し正逆駆動モータ１５に連結させて、駆動モータ１５の駆動操作で移動用パイプ４・５を相互逆方向に等量分移動させるように構成している。
【０００９】
本実施例は上記の如く構成したもので、イチゴなど作物Ａの養液栽培などに用いる多数の栽培ベッド６を温室内に密植状に設け、必要時に各ベッド６を一括して移動させて充分な作業通路８を容易に確保するもので、複数の栽培ベッド６を天井部１からワイヤ７を介し吊下げて多列状に配設させた吊下げ式栽培ベッドにおいて、１つの栽培ベッドを固定用と移動用の２種類の吊下げ部材である吊下げパイプ３・４或いは５にそれぞれ支持させて、各栽培ベッド６を移動可能とさせたことによって、固定用及び移動用の吊下げパイプ３・４或いは５に多数支持させる栽培ベッド６を移動用吊下げパイプ４或いは５の移動で固定側に一括に移動させて、作業通路８など必要とする空間を容易に確保することができる。
【００１０】
また、隣接する栽培ベッド６ａ・６ｂを反対方向に移動させる２本の移動用吊下げパイプ４・５にそれぞれ支持させて、栽培ベッド６ａ・６ｂの移動方向を相互逆方向とさせたことによって、隣接する２つの栽培ベッド６ａ・６ｂ間の間隔を容易に拡大させて、作業通路８などの空間を必要時に容易に確保することができる。
【００１１】
さらに、栽培ベッド６の長手方向に対し吊下げパイプ３・４・５の軸方向を直交させ、栽培ベッド６の軸方向の一側を固定用吊下げパイプ３に、他側を移動用吊下げパイプ４或いは５に支持させて、隣接の栽培ベッド６ａ・６ｂ間に形成する通路巾ａを拡大させることによって、多数列に栽培ベッド６を配置させた密植構成においても一括的に栽培ベッド６を移動可能とさせて、栽培ベッド６間の空間が少ない密植栽培で必要時充分な作業空間を容易に確保して、作業能率を栽培作物Ａの生産性を向上させることができる。
【００１２】
なお、前述実施例にあっては移動用パイプ４・５をピニオンギヤ１３とラックギヤ１１・１２の結合によって行う構成を示したが、図９に示す如く、揺動軸１６を中心する揺動アーム１７の両端に移動用パイプ４・５を連結させ、シリンダ或いはソレノイドなどの揺動駆動部材１８で揺動アーム１７を揺動させることによって移動用パイプ４・５を正逆方向（Ｘ１、Ｘ２）に移動させても良い。また、各パイプ３・４・５と各ワイヤ７ａ〜７ｄの取付関係を変更させて、パイプ４・５の正逆移動時に通路巾ａを縮小ａ２させても良い。
【００１３】
図１０、図１１に示すものは、４本の第１、第２、第３、第４吊下げパイプ１９・２０・２１・２２を設け、２本の第１及び第２パイプ１９・２０及び第３及び第４パイプ２１・２２を１組として固定用及び移動用に設け、隣接する栽培ベッド６ａ・６ｂをそれぞれ異なる固定用及び移動用パイプ１９・２０及び２１・２２にワイヤ７を介して連結させ、各１組のパイプ１９・２０及び２１・２２を固定用及び移動用に切換可能に設け、図１１（１）において第１及び第２パイプ１９・２０を固定で第３及び第４パイプ２１・２２を相互逆方向に移動させるとき栽培ベッド６ａ・６ｂ間の作業通路８の通路巾ａを拡大ａ１させる一方、同図（２）に示す如く第３及び第４パイプ２１・２２を固定で第１及び第２パイプ１９・２０を相互逆方向に移動させるとき栽培ベッド６ａ・６ｂ間の通路巾ａを縮小ａ２させて隣接の通路巾ａを拡大ａ１させるように構成したものである。
【００１４】
また、前記第１及び第２パイプ１９・２０と第３及び第４パイプ２１・２２には各ラック取付台２３・２４を介し正逆ラックギヤ１１・１２を固設させ、該ラックギヤ１１・１２に結合させる単一のピニオンギヤ１３を回転軸１４にスライド部材２５を介し正逆駆動モータ１５に連結させ、第１及び第２パイプ１９・２０或いは第３及び第４パイプ２１・２２の正逆ラックギヤ１１・１２に前記ピニオンギヤ１３を移動させて択一的に結合させるもので、前記スライド部材２５は正逆駆動モータ１５にスプライン軸２６を介し移動自在に連結させ、スライド部材２５にラックギヤ２７及びピニオンギヤ２８とスプロケット２９・３０及びチェン３１を介し作業通路変更操作ハンドル３２を連結させ、操作ハンドル３２でピニオンギヤ１３を移動させ各パイプ１９・２０或いは２１・２２のラックギヤ１１・１２との結合位置関係を変更させて、隣接する１組の栽培ベッド６ａ・６ｂを通常の通路巾ａより拡大ａ１或いは縮小ａ２させて、通路ａの変更を容易に可能とさせるように構成している。
【００１５】
また、図１２に示すものは、正逆（Ｘ１、Ｘ２方向）に移動可能な２つの吊下げパイプ３３・３４のうち、一方の１本のパイプ３３にワイヤ７を介し隣接一方の栽培ベッド６ａを吊下げると共に、他方の１本のパイプ３４にワイヤ７を介し隣接他方の栽培ベッド６ｂを吊下げて、２本のパイプ３３・３４を反対方向に相互に移動させることによって、通路巾ａを拡大ａ１（縮小）させるように構成したもので、極めて簡単に通路巾ａを拡大或いは縮小させることができる。なお、２つの吊下げパイプ３３・３４のうち何れ一方のパイプ３３或いは３４のみを移動させて通路巾ａを拡大或いは縮小させても良い。
【００１６】
【発明の効果】
以上実施例から明らかなように本発明は、複数の栽培ベッド６を天井部１からワイヤ７を介し吊下げて多列状に配設させた吊下げ式栽培ベッドにおいて、１つの栽培ベッドを固定用と移動用の２種類の吊下げ部材３・４或いは５に支持させて、栽培ベッド６を移動可能とさせたものであるから、固定用及び移動用の吊下げ部材３・４或いは５に多数支持させる栽培ベッド６を移動用吊下げ部材４或いは５の移動で固定側に一括に移動させて、作業通路８など必要とする空間を容易に確保することができるものである。
【００１７】
また、隣接する栽培ベッド６ａ・６ｂを反対方向に移動させる２つの移動用吊下げ部材４・５にそれぞれ支持させて、栽培ベッド６ａ・６ｂ間の通路巾ａを拡大或いは縮小させたものであるから、隣接する栽培ベッド６ａ・６ｂ間の間隔を容易に拡大或いは縮小させて、作業に必要とする作業通路８などの空間を簡単な構成手段で容易に確保することができるものである。
【００１８】
さらに、栽培ベッド６の長手方向に対し吊下げ部材３・４・５の長手方向を直交させ、栽培ベッド６の長手方向の一側を固定用吊下げ部材３に、他側を移動用吊下げ部材４或いは５に支持させて、隣接の栽培ベッド６ａ・６ｂ間に形成する通路巾ａを拡大或いは縮小させたものであるから、多数列に栽培ベッド６を配置させた密植構成においても一括的に栽培ベッド６を移動可能とさせて、栽培ベッド６間の空間が少ない密植栽培で必要時充分な作業空間を容易に確保して、作業能率を栽培作物の生産性を向上させることができるものである。
【図面の簡単な説明】
【図１】吊下げ式栽培ベッドの斜視説明図。
【図２】栽培ベッドの側面説明図。
【図３】栽培ベッドの正面説明図。
【図４】栽培ベッドの平面説明図。
【図５】ピニオンギヤとラックギヤ部の説明図。
【図６】ピニオンギヤとラックギヤ部の説明図。
【図７】栽培ベッドの移動説明図。
【図８】隣接栽培ベッドの説明図。
【図９】吊下げパイプの他の移動説明図。
【図１０】通路変更の構成説明図。
【図１１】通路変更における栽培ベッドの移動説明図。
【図１２】栽培ベッドの他の構成説明図。
【符号の説明】
３・４・５　　パイプ（吊下げ部材）
６・６ａ・６ｂ　　栽培ベッド
７　　　ワイヤ
ａ　　　通路
【図１】
2004000021.tif 000003
【図２】
2004000021.tif 000004
【図３】
2004000021.tif 000005
【図４】
2004000021.tif 000006
【図５】
2004000021.tif 000007
【図６】
2004000021.tif 000008
【図７】
2004000021.tif 000009
【図８】
2004000021.tif 000010
【図９】
2004000021.tif 000011
【図１０】
2004000021.tif 000012
【図１１】
2004000021.tif 000013
【図１２】
2004000021.tif 000014